(57)【要約】【課題】ＬＥＤのような指向性のある光源を用いた場合でも、設置面である天井あるいは壁側を照射することのできる照明装置を提供する。【解決手段】実施形態によれば、照明装置は、支持体の支持面上に線状に配置され出射面の法線方向に指向性を有する光源４と、光源を覆う線状のカバー５と、を備えている。カバーは、光源に対して内側となる透過率の高い第１カバー６と、外側となる第１カバーより透過率の低い第２カバー７とを有する。幅方向のカバーの断面は、少なくとも光源に対向する正面領域で第１カバーと第２カバーが空間を置いて離間し、幅方向の両側縁領域で第１カバーと第２カバーが接することで第１カバーと第２カバーで囲まれた中空空間を有する。第１カバーは、光源から放出される光のうち光源の側面方向に傾斜して放出される光の一部を取り込んで光源の側面方向から背面方向にかけて出射する。【選択図】図１
2015046357.tif 000002
【特許請求の範囲】
【請求項１】
支持体の支持面上に線状に配置され出射面の法線方向に指向性を有する光源と、前記光源を覆う線状のカバーと、を備え、
前記カバーは、前記光源に対して内側となる透過率の高い第１カバーと、前記光源に対して外側となる前記第１カバーより透過率の低い第２カバーとを有し、
前記線状の長手方向と直交する幅方向の前記カバーの断面は、少なくとも前記光源に対向する正面領域で前記第１カバーと前記第２カバーが空間を置いて離間し、前記幅方向の両側縁領域で前記第１カバーと前記第２カバーが接することで前記第１カバーと前記第２カバーで囲まれた中空空間を有し、
前記第１カバーは、前記光源から放出される光のうち前記光源の側面方向に傾斜して放出される光の一部を取り込んで前記光源の側面方向から背面方向にかけて出射することを特徴とする照明装置。
【請求項２】
前記第１カバーは、前記光源から放出される光りのうち前記光源の正面方向に放出される光の一部を正面方向に拡げて出射する凹レンズを構成していることを特徴とする請求項１に記載の照明装置。
【請求項３】
前記第２カバーは、面法線方向が正面側を向き前記第１カバーと隙間を置いて対向する正面領域を有し、
前記第１カバーの前記凹レンズから照射される光は、前記第２カバーの前記正面領域全体に照射されることを特徴とする請求項２に記載の照明装置。
【請求項４】
前記第１カバーは、前記光源の幅方向両側に配置され、それぞれ前記光源の近傍の高さまで突出し、前記光源から側面方向に放出される光を取り込む突出領域を備えていることを特徴とする請求項１ないし３のいずれか１項に記載の照明装置。
【請求項５】
前記第１カバーと前記第２カバーは一体に形成されていることを特徴とする請求項１ないし４のいずれか１項に記載の照明装置。
【請求項６】
前記第１カバーの出射面および第２カバーの側面部は、法線方向が天井側を向いた出射面を有することを特徴とする請求項１に記載の照明装置。
【請求項７】
前記第１カバーの出射面は、外部に露出していることを特徴とする請求項１ないし６のいずれか１項に記載の照明装置。
【請求項８】
前記第２カバーは、前記第１カバーの出射面を覆う側面部を有することを特徴とする請求項１に記載の照明装置。
【発明の詳細な説明】
【技術分野】
【０００１】
この発明の実施形態は、照明装置に関する。
【背景技術】
【０００２】
照明装置として、蛍光灯を備えた線状の照明装置が広く用いられている。近年では、蛍光灯よりも環境負荷の少ない発光ダイオード（ＬＥＤ）による照明装置が出始めており、線状の照明装置も多数発売されている（特許文献１、２）。
【０００３】
従来の蛍光灯は全方位に均一な光度で光を放出するが、ＬＥＤのように実装面の前方にしか光が放出されない光源を用いた照明装置は、従来の蛍光灯を用いた照明装置と置き換えた場合に天井面が照射できず暗くなった印象を受けやすい。このため、前方に出る光の一部を側面方向に照射するような照明装置が開示されている（特許文献３）。
【先行技術文献】
【特許文献】
【０００４】
【特許文献１】特開２０１３−６９８７９号公報
【特許文献２】特開２０１３−１８６０９５号公報
【特許文献３】特開２０１３−５８３１６号公報
【発明の概要】
【発明が解決しようとする課題】
【０００５】
しかしながら、ＬＥＤに代表されるような実装された面の法線方向に光を強く照射する光源を用いた照明装置では、従来の蛍光灯を用いた照明装置に比べて設置面の背面側すなわち天井面あるいは壁面が暗くなる問題がある。
【０００６】
この発明は以上の点を鑑みてなされたものであり、その課題は、ＬＥＤのような指向性のある光源を用いた場合でも、設置面である天井あるいは壁側を強く照射することのできる照明装置を提供することにある。
【課題を解決するための手段】
【０００７】
実施形態によれば、照明装置は、支持体の支持面上に線状に配置され出射面の法線方向に指向性を有する光源と、前記光源を覆う線状のカバーと、を備えている。前記カバーは、前記光源に対して内側となる透過率の高い第１カバーと、前記光源に対して外側となる前記第１カバーより透過率の低い第２カバーとを有し、前記線状の長手方向と直交する幅方向の前記カバーの断面は、少なくとも前記光源に対向する正面領域で前記第１カバーと前記第２カバーが空間を置いて離間し、前記幅方向の両側縁領域で前記第１カバーと前記第２カバーが接することで前記第１カバーと前記第２カバーで囲まれた中空空間を有している。前記第１カバーは、前記光源から放出される光のうち前記光源の側面方向に傾斜して放出される光の一部を取り込んで前記光源の側面方向から背面方向にかけて出射する。
【図面の簡単な説明】
【０００８】
【図１】図１は、第１の実施形態に係る照明装置を示す断面図。
【図２】図２は、前記照明装置から放出される光線軌道を示す図。
【図３】図３は、天井あるいは壁面が無い場合の前記照明装置の配光分布を示す図。
【図４】図４は、第２の実施形態に係る照明装置を示す断面図。
【図５】図５は、第２の実施形態に係る照明装置から放出される光線軌道を示す図。
【図６】図６は、天井あるいは壁面が無い場合の前記照明装置の配光分布を示す図。
【図７】図７は、第３の実施形態に係る照明装置を示す断面図。
【図８】図８は、第４の実施形態に係る照明装置を示す断面図。
【図９】図９は、第５の実施形態に係る照明装置を示す断面図。
【発明を実施するための形態】
【０００９】
以下、図面を参照しながら、実施形態に係る照明装置について詳細に説明する。  
（第１の実施形態）  
図１は、第１の実施形態に係る照明装置の断面図である。  
照明装置１は、従来の蛍光灯に代えてＬＥＤ光源を用いたものであり、図１に示した断面構造を１．２ｍ程度、直線状に引き延ばされた形状を有している。すなわち、照明装置１は、支持体となる断面矩形状の筐体２と、筐体２の支持面２ａに設置された複数あるいは連続した１つの基板３と、基板３上に実装され筐体２の長手方向に直線状に並んで配置されたＬＥＤからなる光源４と、筐体２の支持面２ａに取付けられ基板３および光源４を覆う細長い直線状のカバー５と、筐体２内に配置され光源４を駆動する駆動回路８と、を備えている。
【００１０】
筐体２は、白塗装された鋼板を折り曲げて構成され、支持面２ａに光源４を支持するとともに、内部に駆動回路８を支持している。照明装置１は、この筐体２を天井１０あるいは壁面に貼りつけるか、あるいは埋め込むかなどして設置される。これにより、筐体２の支持面２ａは、天井あるいは壁面とほぼ平行に位置する。
【００１１】
カバー５は、光源４に対して内側となる透過率の高い第１カバー６と、光源４に対して外側に位置し第１カバーより透過率の低い第２カバー７とを有している。光源４側の第１カバー６は、例えば、透明なポリカーボネート樹脂で形成され、その外側の第２カバー７は、例えば、乳白のポリカーボネート樹脂で形成されている。本実施形態において、これら第１および第２カバー６、７は、押出成形により一体に形成されている。
【００１２】
第１カバー６は、筐体２の支持面２ａおよび光源４と対向する板状に形成され、光源４に対して外側が曲率小（あるいは負の曲率）、内側が曲率大の凹レンズ構造を有している。すなわち、第１カバー６の内側の面は、光源４と対向する円弧状凹所からなる入射部６ａと、光源４の幅方向両側に配置された一対の突出領域６ｂと、を有している。各突出領域６ｂは、光源４の近傍の高さまで突出し、光源４から側面方向に放出される光を第１カバー６内に取り込む。突出領域６ｂは、光源４から離れる方向に傾斜して延びる一対の傾斜面を有し、この傾斜面は、第１カバー６の出射部と隙間を置いて対向している。第１カバー６の光源４と反対側の上面は、曲率小の凹面６ｃを形成している。更に、第１カバー６の幅方向（照明装置の長手方向と直行する方向）Ｙの両側縁部は、筐体２の支持面２ａ上に支持されているとともに、第１カバー６に取り込まれた光を側方ないし背面側に出射する出射部を構成している。出射部の出射面６ｄは、その法線方向が光源４の側面側ないし背面側に傾斜するように筐体２の支持面２ａから側方に傾斜して延びている。
【００１３】
第２カバー７は、第１カバー６の凹面６ｃと隙間を置いて対向するほぼ平坦な正面領域７ａと、正面領域７ａの幅方向Ｙの両端から第１カバー６の凹面６ｃの幅方向端部まで光源４側に傾斜して延びる側面領域７ｂと、を有している。側面領域７ｂの出射面は、第１カバー６の凹レンズで直接照射される高さまで第１カバー６の出射面６ｄに連続した側面を形成している。第１カバー６の凹面６ｃから照射される光は、第２カバー７の正面領域７ａ全体に照射される。
【００１４】
このように、カバー５の幅方向Ｙの断面は、少なくとも光源４に対向する正面領域で第１カバー６と第２カバー７が空間を置いて離間し、幅方向の両側縁領域で第１カバー６と第２カバー７が接することで第１カバーと第２カバーで囲まれた中空空間を有している。第１カバー６は、光源４から放出される光のうち光源の主に側面方向に傾斜して放出される光の一部を取り込んで光源の側面方向から背面方向にかけて出射する出射部を有している。
【００１５】
光源４から放出された光（図の矢印）は、光源４の正面方向では第１カバー６の凹レンズで拡大され、第２カバー７の平坦部分である正面領域７ａ全域を均一輝度でムラなく発光させる。同時に、第１カバー６は、光源４の側面方向に傾斜した光を第１カバー６内部に取り込んで、出射面６ｄから照明装置１に対して側面方向から背面方向に光を出射する。
【００１６】
すなわち、乳白材料の第２カバー７と凹レンズ機能を有する第１カバー６とにより、光源４のＬＥＤ特有の粒粒状の輝度ムラを解消するとともに、第１カバー６により天井面あるいは壁面を明るく照射することができる。
【００１７】
また、カバー５の側面は、面法線方向が天井側あるいは壁面側に向いており、天井を見上げたときなどに視認されにくい形状としている。このため、照明装置１は、見た目では均一に光る正面領域に隣接して、見えない第２カバー６の出射領域から放出された光で隣接する天井面あるいは壁面が明るく見える見映えとなる。
【００１８】
図２は、照明装置１から放出される光線軌道を示し、図３は、天井あるいは壁面が無い場合の照明装置１の配光分布を示している。  
これらの図から、カバー５の側面では、第１カバー６により集光された光線が出射面６ｄから天井側あるいは壁面側に照射されていることが判る。また、カバー５の中央側では、光源４から放出された光線が第１カバー７により拡散され、見た目にカバー５の幅で発光しているように見えることが判る。
【００１９】
以上のように構成された第１の実施形態によれば、指向性の強い光源４を用いても天井あるいは壁面を照射するとともに、眩しさを軽減することが可能な照明装置を実現することができる。
【００２０】
なお、第１の実施形態において、光源４は１列に限らず、直線状の複数列に配置してもよく、あるいは、列配置形状もサークル状にしてもよい。また、光源４として有機ＥＬのような別のタイプの光源を用いてもよい。筐体２は断面矩形に限らず他の形状であってもよい。カバーは、アクリル樹脂や他の材料で形成してもよく、透明領域も乳白領域より拡散性が弱ければ若干の拡散性を有していてもよい。また、第１の実施形態において、第２カバーは、一対の側面領域を有しているが、この側面領域は適宜配設すれば良く、省略することも可能である。この場合、第２カバーの正面領域の両端部を、直接、第１カバーの幅方向端部に接合するようにしてもよい。
【００２１】
次に、種々の他の実施形態について説明する。以下に述べる種々の実施形態において、第１の実施形態と同一の部分には、同一の参照符号を付してその詳細な説明を省略し、異なる部分を中心に詳細に説明する。
【００２２】
（第２の実施形態）  
図４は、第２の実施形態に係る照明装置１を示す断面図である。第２の実施形態において、照明装置１の基本的な構成は第１の実施形態と同様である。
【００２３】
本実施形態によれば、第１カバー６は、光源４から入射した光を２回以上反射導光して出射面６ｄから天井側あるいは壁面側に出射するように、導光部が薄く形成されている。これにより、第１カバー６を薄くし、カバー５全体の薄型化を図ることが可能となる。
【００２４】
図５は、照明装置１から放出される光線軌道を示し、図６は、天井あるいは壁面が無い場合の照明装置１の配光分布を示している。  
これらの図から、カバー５の側面では、第１カバー６により集光された光線が出射面６ｄから天井側あるいは壁面側に照射されていることが判る。また、カバー５の中央側では、光源４から放出された光線が第１カバー７により拡散され、見た目にカバー５の幅で発光しているように見えることが判る。
【００２５】
上記構成の第２の実施形態においても、指向性の強い光源４を用いても天井あるいは壁面を照射でき、眩しさを軽減することが可能な照明装置を実現することができる。
【００２６】
（第３の実施形態）  
図７は、第３の実施形態に係る照明装置１を示す断面図である。第３の実施形態において、照明装置１の基本的な構成は第１の実施形態と同様である。
【００２７】
本実施形態によれば、支持体となる筐体２は断面台形状に形成され、支持面２ａとなる切頭頂面部に実装基板３および光源４が設けられている。カバー５の第２カバー７は、ドーム状に形成された正面領域７ａと、両側面領域（側面部）７ｂとを有している。そして、両側面部７ｂは、第１カバー６の出射面６ｄを覆うように設けられている。
【００２８】
第１カバー６のプリズム作用で出射面６ｄから出射する光を、乳白材料で形成された第２カバー７の側面部７ｂで拡散出射することで、光の色毎の屈折差による縞状のムラを解消することができる。
【００２９】
第１カバー６と第２カバー７は押出成形により間に空気層が入ることなく一体成形している。そのため、両者の境界で屈折率差によるフレネル反射が起こらず、効率が劣化しにくくしている。
【００３０】
なお、第２カバー７は円弧状、筐体２は台形と意匠を変えているが、これらは機能に支障のない範囲で様々に変形することができる。
【００３１】
（第４の実施形態）  
図８は、第４の実施形態に係る照明装置１を示す断面図である。照明装置１の基本的な構成は第１の実施形態と同様である。
【００３２】
本実施形態によれば、筐体２は断面台形状に形成され、支持面２ａとなる切頭頂面部に実装基板３および光源４が設けられている。第１カバー６の出射領域は、筐体２の傾斜する２側面２ｂに沿って延び、これらの２側面を覆って設けられている。
【００３３】
これにより、光源４から第１カバー６に取り込んだ光を第１カバー６内部を導光させ、筐体２の両側面２ｂあるいは天井面に広く光を放出する形態としている。
【００３４】
（第５の実施形態）  
図９は、第５の実施形態に係る照明装置１を示す断面図である。照明装置１の基本的な構成は第１の実施形態と同様である。
【００３５】
本実施形態によれば、筐体２は断面台形状に形成され、支持面２ａとなる切頭頂面部に実装基板３および光源４が設けられている。第１カバー６の出射領域は、筐体２の傾斜する２側面２ｂに沿って延び、これらの２側面を覆って設けられている。また、第２カバー７の側面部７ｂは、第１カバー６の出射領域に沿って延び、これら出射領域の出射面を覆って設けられている。第２カバー７の断面形状は、全体で連続した三角形となるように構成としている。
【００３６】
上記構成によれば、光源４から第１カバー６に取り込んだ光は、筐体２の両側面２ｂ上で出射面６ｄに接している第２カバー７の側面部７ｂにより外部に拡散出射され、筐体２の側面２ｂを中心に光を放出する。
【００３７】
上記のように構成された第３ないし第５の実施形態においても、指向性の強い光源４を用いても天井あるいは壁面を照射するとともに、眩しさを軽減することが可能な照明装置を実現することができる。
【００３８】
本発明は上記実施形態および変形例そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
上述した実施形態では直線状の照明装置を説明したが、光源配列が線状であればサークル状や円弧状、あるいは他の曲線状の照明装置であってもよい。
【符号の説明】
【００３９】
１…照明装置、２…筐体、３…基板、４…光源、５…カバー、６…第１カバー、
６ｂ…突出領域、６ｄ…出射面、７…第２カバー、７ａ…正面領域、７ｂ…側面領域
【図１】
2015046357.tif 000003
【図２】
2015046357.tif 000004
【図３】
2015046357.tif 000005
【図４】
2015046357.tif 000006
【図５】
2015046357.tif 000007
【図６】
2015046357.tif 000008
【図７】
2015046357.tif 000009
【図８】
2015046357.tif 000010
【図９】
2015046357.tif 000011